(57)【特許請求の範囲】
【請求項１】
人体の足部に装着する靴下において、その底面に母趾球のみを包み込むように突出した膨出部分が設けられてなることを特徴とする靴下。
【請求項２】
前記請求項１に記載の靴下において、その底面に小趾球のみを包み込むように突出した膨出部分が設けられてなることを特徴とする靴下。
【請求項３】
前記請求項１又は２に記載の靴下において、土踏まず部分に対応する全周にわたって締付け部を設けたことを特徴とする靴下。
【請求項４】
前記請求項１から３のいずれかに記載の靴下において、前記膨出部分の外表面を高摩擦性にしてあることを特徴とする靴下。
【発明の詳細な説明】
【従来技術】
【０００１】  本発明は、人体の足部に装着する靴下に関し、より詳しくは、良好なフィット感を有する靴下に関する。
【背景技術】
【０００２】  従来、特開２００５−９０１１公報に示されるように、足指の自由度を高めるために、足指の左右で第一中足関節に対する箇所にマチ部を設けるものが知られている。当該従来技術では、左右のマチ部により足指付け根部分の締付けを開放することができたが、フィット感が無くなり、靴下中で泳ぐ状態になるので、使用時に足と靴下が相互にずれ、違和感を生じることとなる。
一方、古くより素足での歩行は健康維持に効果があるとの言い伝えがあるが、その理由は、歩行による足裏への圧迫と開放の繰り返しにより足裏での血行を良好にするからである。
しかし、素足での歩行は障害を受ける可能性があり通常は進められるものではない。
特にスポーツなどの激しい運動においては、靴下の使用は必須である。
【発明の開示】
【発明が解決しようとする課題】
【０００３】
【０００４】  上記従来発明の問題を解決し、良好なフィット感を有しながら足裏の血行を改善することができる靴下を提供することを目的とする。
【課題を解決するための手段】
【０００５】  本発明の靴下は、この目的を達成するために、土人体の足部に装着する靴下において、その底面に母趾球のみを包み込むように突出した膨出部分が設けられてなることを特徴とする構成を採用した。
また、より効果的には、前記膨出部分と共に、小趾球のみを包み込むように突出した膨出部分が設けられてなる構成を採用することができる。
【発明の効果】
【０００６】  このように構成することで、充分なフィット感を有するサイズのものであっても、母趾球などの足裏突出部分は膨出部分に嵌り込み開放されることとなる。これら足裏突出部分は歩行時に最も大きな圧迫力を受ける箇所であり、この箇所が膨出部分に包まれることで、圧力がほとんどかからない状態にまで開放することができる。この結果、素足で歩行するときのような大きな落差で圧迫と開放を繰り返すことができ、足裏の血行を良好にすることができた。つまり、足にフィットしながら良好な血行を保つことができる靴下を提供することができた。
さらに、土踏まず部分に対応する全周にわたって締付け部を設ければ、土踏まずにフィットさせてさらに良好な履き心地を得ることができた。【０００７】  なお、少々サイズが大きいものでも、母趾球などの足裏突出部分が膨出部分に嵌り込んで、靴下と足との相対移動を阻止する。そのうえ母趾球などの足裏突出部分により阻害されることなく土踏まず対応部分を締付けることができるので、結果的には良好なフィット感を有することとなる。また市販されている靴下のサイズは通常２〜３ｃｍ程の幅をもって１サイズを設定してあるので、足の大きさによっては、靴下が少々大きく感じられる場合がある。しかし、上記のように母趾球などの足裏突出部分により阻害されることなく土踏まず対応部分を締付けることができるので、結果的には良好なフィット感を有することとなる。
また、高齢者や糖尿病などの疾患による足の血行障害を持つ者に対しても、足への締付けがほとんど無く血行に悪影響の無いにも拘わらず脱げや滑りなどの無い、良好な着用を実現することができた。それにより、保温による血行促進のみならず積極的運動による血行促進、健康増進が可能になり、残存機能の積極的活用とその維持に貢献することができるものである。【０００８】  また、前記膨出部分の外表面を高摩擦性にしてあることにより、靴と靴下又は靴下と廊下とのすべりを防止することにより、本靴下が高いフィット性を有することと相まって歩行を極めて安全にすることができた。
仮に、靴下と足部との間にすべりがある場合は、靴下底外表面全体にすべり止め作用を持たせると、かえって足部のみがすべり捻挫などの障害を受ける恐れがある。
【発明を実施するための最良の形態】
【０００９】  以下に、本発明の最良の実施形態を例示するが、本発明はこれによって限定されるものではない。
【実施例】
【００１０】  図１、図２、図３における靴下（１）は本発明の靴下である。図４における靴下（１’）は従来の靴下である。図５における靴下（１）（１’）はそれぞれ本発明の靴下及び、従来の靴下を着用したところを底面から示したものである。
靴下（１）は、通常の編み上げ技術によるニット編みにより、土踏まず対応箇所を含む全周締付け部（３）口部（４）が設けてある。また母趾球（Ａ）と小趾球（Ｂ）、足裏部分のうちの踵部分（２）の足底部中央（Ｃ）のそれぞれの対応箇所には、膨出部分（５）（６）（７）が設けてある。この膨出部分は、それぞれの対応箇所に切り目を入れ、この切り口を適度に開いた状態で塞ぐように編み上げて構成してある。【００１１】  このようにして構成した靴下（１）を足部（Ｆ）に装着すると図３に示すように、足裏の凸凹に沿ってフィットするのみならず、母趾球（Ａ）、小趾球（Ｂ）などの突出部分を靴下で圧迫することがなくなった。
ちなみに、このような膨出部分を設けていない従来の靴下（１’）を足部に装着した状態を図４にて示した、この従来の靴下（１’）では、母趾球（Ａ）、小趾球（Ｂ）を靴トのフィット力により母趾球及び小趾球対応部分（５’）を締付け、たとえ足部（Ｆ）を持ち上げても、これらを開放することはできない。この傾向はフィット感を与えるためにサイズを小さくすればより大きくなるとともに、土踏まず（Ｄ）では空間（Ｓ）が生じ、かえって滑りやすくなる恐れもある。【００１２】  前記膨出部分（５）（６）（７）を作製するに当たり高摩擦性の繊維としてコットン７０％、ナイロン３０％のブークレ糸を用いることにより、当該箇所にすべり止め機能を有りさしめることができた。【００１３】  なお、本発明の効果は、母趾球（Ａ）に対応する箇所にのみ膨出部分（５）を設けることによっても、血行改善の効果を発揮することができた。
【産業上の利用分野】
【００１４】  以上要するに、本発明は、素足に近い血行を有さしめながら足とのフィットが良好に行える靴下を提供したもので、日常の使用のみならずスポーツなどに使用することで、足の疲れを軽減しながら激しい動きでもずれることのない良好な装着感を与えることができた。また逆に高齢者や糖尿病などによる足先への血行障害を持つものにとっても、締付け圧力のほとんど無い、しかもずれや滑りなどの発生しない良好な着用が可能な靴下を提供することができた。
【図面の簡単な説明】
【図１】本発明の靴下の実施例を示す側面図
【図２】本発明の靴下の実施例を示す底面図
【図３】本発明の靴下の使用状態を示す縦断側面図
【図４】従来の靴下を装着した状態を示す縦断側面図
【図５】足裏を示す底面図
【符号の説明】
【００１５】（１）靴下
（２）踵部
（３）土踏まず対応箇所を含む全周締付け部分
（４）口部締付け部分
（５）母趾球部膨出部分
（６）小趾球部膨出部分
（７）踵中央部膨出部分
（８）土踏まず対応部分
（１’）従来の靴下
（５’）従来の母趾球及び小趾球対応部分
（Ｆ）足部
（Ａ）母趾球
（Ｂ）小趾球
（Ｃ）踵中央部
（Ｄ）土踏まず
【図１】
0004817053.tif 000002
【図２】
0004817053.tif 000003
【図３】
0004817053.tif 000004
【図４】
0004817053.tif 000005
【図５】
0004817053.tif 000006